(57)【要約】【課題】塵詰まりによる吹出し口の閉塞が防止されるとともに、通気性能にバラツキの生じない床吹出し空調システムの床通気構造を得、良好な吹出しの長期間に渡る維持、及び吹出し風速の均一化を図る。【解決手段】床吹出し空調システムの床通気構造であって、床基盤２３ａ上に載置した支持脚４１上に有孔合板４３を敷設し、有孔合板４３の上面に通気性を有するシート材４５を貼着し、シート材４５の上面に、床材４９を貼着して敷設し、該床材４９に設けられた通気口５１に、通気性を有する充填材５３を挿入した。【選択図】図１
2006028738.tif 000002
【特許請求の範囲】
【請求項１】
床吹出し空調システムの床通気構造であって、
床基盤上に載置した支持脚上に敷設された有孔合板と、該有孔合板の上面に貼着された通気性を有するシート材と、該シート材の上面に敷設された床材とから成り、前記床材には通気口が設けられているとともに、該通気口内に通気性を有する充填材が挿入されていることを特徴とする床吹出し空調システムの床通気構造。
【請求項２】
前記床材は所定の間隙を隔てて敷設され、
該間隙が通気口となることを特徴とする請求項１記載の床吹出し空調システムの床通気構造。
【請求項３】
前記床材は貫通孔が穿設され、
該貫通孔が通気口となることを特徴とする請求項１記載の床吹出し空調システムの床通気構造。
【請求項４】
前記充填材の上面と、前記床材の上面とが同一平面に配置されることを特徴とする請求項１乃至３記載の床吹出し空調システムの床通気構造。
【請求項５】
前記間隙のシート材側の開口面積が、前記間隙の床材上面側の開口面積より大きいことを特徴とする請求項１乃至３記載の床吹出し空調システムの床通気構造。
【発明の詳細な説明】
【技術分野】
【０００１】
本発明は、床吹出し空調システムの床通気構造に関する。
【背景技術】
【０００２】
床下空間の空気を床上室内側に抜き、床下湿気による木質系パネル材の腐食を防止する目的や、均一な室内空調を実現する目的で床吹出し空調システムを採用する場合等では、通気構造を有した床が用いられる。例えば下記特許文献１に開示される床構造は、図６に示すように、レベル調整可能、かつ下端に弾性体３を有する支持脚２を供えたパネル体４をコンクリートスラブ等の床基盤１上に所定間隔Ｓをあけて敷きつめ、これらパネル体４の上に捨張材５を所定の間隔５Ａをあけて張りつけている。捨張材５の間に形成された間隔５Ａは、通気手段を構成する。このような通気口を供えた床では、床下の空気や湿気とが、通気手段を通じて室内側に速やかに抜くことが可能となる。また、床下空間に空気が密封されないので、遮音効果も向上させることができる。
【０００３】
【特許文献１】特開昭６３−２７２８５３号公報
【発明の開示】
【発明が解決しようとする課題】
【０００４】
しかしながら、上記した従来の床通気構造は、パネル体を所定間隔をあけて敷きつめ、これらパネル体の上に捨張材を所定の間隔をあけて張りつけることで、捨張材の間に形成された間隔によって通気手段を構成していたため、床上の塵等が容易に捨張材同士の間隔や、パネル体同士の間隔に侵入して目詰まりし、良好な通気性が確保できなくなる問題があった。また、パネル体同士の間隔と捨張材同士の間隔とを連通させて通気手段を構成していたので、通気路の形成される領域と、通気路の形成されない領域とで通気性能がバラツキ、通気が局所的となる場合もあり、床面全体で均一な通気性を確保し難い問題があった。さらに、上記従来例のように、通気手段を構成するために、捨張材同士に開口されたままの間隔を形成すれば、歩行時に違和感の生じる不利があった。また、パネル体や捨張材を、単に間隔をあけて敷設したのでは、その間隔の上下が同一の開口面積となり、吹出し抵抗が大きくなり、十分な吹出し量の確保が困難となる場合もあった。また、塵詰まりによって通気路が遮断されれば、通気性が損なわれ、特に木質系の床材では、腐食が進み耐久性の低下する問題も生じた。
本発明は上記状況に鑑みてなされたもので、塵詰まりによる吹出し口の閉塞が防止されるとともに、通気性能にバラツキの生じない床吹出し空調システムの床通気構造を提供し、もって、良好な吹出しの長期間に渡る維持、及び吹出し風速の均一化を図ることを目的とする。
【課題を解決するための手段】
【０００５】
上記目的を達成するための本発明に係る請求項１記載の床吹出し空調システムの床通気構造は、床吹出し空調システムの床通気構造であって、床基盤上に載置した支持脚上に敷設された有孔合板と、該有孔合板の上面に貼着された通気性を有するシート材と、該シート材の上面に敷設された床材とから成り、該床材には通気口が設けられているとともに、この通気口内には通気性を有する充填材が挿入されていることを特徴とする。
【０００６】
この床吹出し空調システムの床通気構造では、通気口に充填材が挿入され、室内の塵が間隙に落ち込むことがなくなる。これにより、塵詰まりによる吹出し口の閉塞が防止可能となる。また、通気口に挿入されている充填材が通気流の抵抗となり、局所的に速くなる吹出しが是正されるとともに、間隙からの吹出し風速が均等となる。
【０００７】
又本願の床吹出し空調システムの床通気構造は、前記充填材の上面と、前記床材の上面とが同一平面に配置されることを特徴とする。
【０００８】
この床吹出し空調システムの床通気構造では、充填材が床材表面より突出する場合に生じる歩行時における違和感が発生しなくなるとともに、充填材が床面から凹む場合に生じる塵だまりの堆積による目詰まりが防止される。これにより、良好な歩行感が確保されながら、目詰まりのし難い吹出し構造が実現可能となる。
【０００９】
更に又本願の床吹出し空調システムの床通気構造は、前記間隙のシート材側の開口面積が、前記通気口の床材上面側の開口面積より大きいことを特徴とする。
【００１０】
この床吹出し空調システムの床通気構造では、上下が同一の開口面積である通気口に比べ、吹出し抵抗を小さくして、十分な吹出し量の確保が可能となる。
【発明の効果】
【００１１】
本発明に係る床吹出し空調システムの床通気構造によれば、床基盤上に載置した支持脚上に有孔合板を敷設し、この有孔合板の上面に通気性を有するシート材を貼着し、このシート材の上面に床材を貼着して敷設し、床材の構成する通気口に、通気性を有する充填材を挿入したので、室内の塵が通気口に落ち込むことがなく、塵詰まりによる吹出し口の閉塞を防止して、良好な吹出しを長期間に渡って維持することができる。また、通気口に挿入されている充填材が通気流の抵抗となり、その結果、局所的な吹出しが是正されるとともに、吹出し風速の速くなることも防止でき、かつ全間隙からの吹出し風速を均一化させることが可能となる。
【発明を実施するための最良の形態】
【００１２】
以下、本発明に係る床吹出し空調システムの床通気構造の好適な実施の形態を図面を参照して説明する。
図１は本発明に係る床通気構造の実施の形態を表す図、図２は他の実施の形態を表す図、図３は図１、２に示した床通気構造の採用された床吹出し空調システムの構成図、図４，図５は床通気を説明する図面である。
先ず、最初に本実施の形態に係る床通気構造の採用される床吹出し空調システム１００について説明する。
図３に示すように、アンビエント空調機１０は室内の天井１１近くの壁面８に例えば書棚１８の上部に設置され、その冷媒配管１９は室外機２０に接続されている。また天井１１の中央下面にはファンを内蔵した旋回流調整機１４が設けられ、旋回気流１６の調整を行っている。アンビエント空調機１０は、運転中、室内上部の非居住域（人が居ない領域）Ｎの空気を吸い込み、排熱および集塵を行ったのちに、非居住域に向けてほぼ水平に吹き出す。アンビエント空調機１０から吹き出された空調空気は、旋回流調整機１４により、アンビエント空調機１０を据え付けた壁から対向する壁までの間を、室内の上部空間である非居住域Ｎで旋回気流１６として循環する。
【００１３】
また、パーソナル空調機としての床下設置空調機２１は、建物躯体２３と室の床２５との間の空間（床下空間）２７に設置され、その冷媒配管１９はこの床下空間２７を通って室外機２０に接続されている。室の床２５には図示しないダクトで床下設置空調機２１に接続された任意個数の吸込口２９及び床下空間２７と居住域（人の居る領域）Ｄとを連通させる吹出口３１が設置されている。床下設置空調機２１の吹出口は、床下空間２７に開口され、床下空間２７が床下チャンバを構成することにより、床下設置空調機２１から吹出された空気は、床下空間２７を介して吹出口３１から室へと吹出される。
【００１４】
床下設置空調機２１は、運転中、室の床２５に設けた吸込口２９より室内空気を吸い込み、吹出口３１より空調空気を室内の居住域Ｄに吹き出す。この吹出された空調空気は居住域Ｄにおいて人体、ＯＡ機器、太陽輻射等の熱を奪い、それにより温まった空気の一部はタバコの煙、ホコリ等を巻き込み、自然対流１５により天井１１に向かって上昇する。この上昇空気１５は天井１１まで上昇する途中で、アンビエント空調機１０による非居住域Ｎでの旋回気流１６に巻き込まれ、アンビエント空調機１０により排熱及び集塵され、再度アンビエント空調機１０から吹出される。
【００１５】
図１に示すように、床下空間２７は、建物躯体２３である床基盤２３ａ上に載置した支持脚４１上に有孔合板４３を敷設することで、床基盤２３ａと有孔合板４３とに挟まれて形成される。支持脚４１は、下面に防振材としてのゴムシート４１ａを貼着したベース部４１ｂに、上部に支持部４１ｃを有する調整軸４１ｄを螺合することで、床基盤２３ａからの有孔合板４３の高さが自在に調整可能な所謂調整根太となっている。
【００１６】
有孔合板４３の上面には通気性を有するシート材４５が釘等４７によって貼着される。シート材４５としては、例えばポリウレタン樹脂を好適に用いることができる。このシート材４５は、３ｍｍ厚程度のものが用いられる。シート材４５としては、この他、多孔性の基布にパイルを植設したカーペットタイルや連続多孔質シートが用いられてもよい。さらに、ポリウレタン樹脂に代えて、プラスチック系、金属系、珪素系のシート材４５が用いられてもよい。プラスチック系のシート材は、粒状のプラスチックを熱処理してシート状に凝固させたものを用いることができ、粒子間に形成された通気路によって通気性が得られる。また、金属系のシート材としては、発泡アルミを素材としたものを用いることができる。また、珪素系のシート材としては、通気孔を均等に有するメッシュ状の多孔質セラミック等を用いることができる。
【００１７】
シート材４５は、厚み方向（図１の上下方向）及び厚み内において表裏面に沿う方向（図１の左右方向）においても相互に連通する通気路の形成されていることが好ましい。これにより、有孔合板４３の通気孔４３ａから供給された空気が、厚み内において表裏面に沿う方向でも流れるようになっている。
【００１８】
シート材４５の上面には、通気口５１となる間隙を隔てて木質系の床材４９を貼着して敷設している。この通気口５１は、上記の吹出口３１を構成する。床材４９は、６０〜３００ｍｍ幅（図１の左右方向の長さ）程度で、１２〜２０ｍｍ厚程度のものが用いられる。この床材４９は、接着剤によってシート材４５に貼着される。また、隣接する床材４９同士の間隙は、２〜１０ｍｍ程度に設定される。この間隙は、床２５の面積に対し略５％の通気開口が確保されるように設定されることが好ましい。この間隙を通気口５１とする為通気性を有する充填材（目地材）５３が挿入されている。つまり、目地に通気性をもたせている。充填材５３としては、ポリウレタン系発泡材を好適に用いることができる。充填材５３の挿入は、目地断面形状で成形した目地材を、床材４９の敷設と共に挟持して挿入することができる。また、所定の間隙を隔てて床材４９を敷設した後、この間隙（通気口５１）に床２５上からポリウレタン系発泡材を現場発泡させて充填するものであってもよい。
【００１９】
図４に示すように、床２５は、充填材５３の上面５３ａと、床材４９の上面４９ａとが同一平面に配置されることが好ましい。これにより、充填材５３が床材４９表面より突出する場合に生じる歩行時における違和感が発生しなくなるとともに、充填材５３が床平面から凹む場合に生じる塵だまりの堆積による目詰まりが防止され、良好な歩行感が確保されながら、目詰まりのし難い吹出し構造が実現可能となる。
【００２０】
また、通気口５１となる間隙は、シート材４５側の開口面積Ｓ１が、床材４９上面側の開口面積Ｓ２より大きいことが好ましい。これにより、上下が同一の開口面積である間隙に比べ、シート材４５側に大きな導入開口（開口面積Ｓ１）が形成され、吹出し抵抗を小さくして、十分な吹出し量の確保が可能となる。
【００２１】
一方図２は他の実施の形態を示す図である。
図１と同様に床下空間２７の建物躯体２３（床基板２３ａ）に所謂調整根太としての支持脚４１が立設されている。この支持脚４１の支持部４１ｃ上に有孔合板４３が敷設されている。そしてこの有孔合板４３の上面には通気性を有するシート材４５が所定の止着手段により貼着されている。斯るシート材４５は前記実施の形態にて説明したと同様に配置されかつ材質、構造も同様のものが用いられる。
斯るシート材４５の上面に床材４９が敷設される。床材４９は前記の実施の形態に用いられたものと基本的には同質、同構造のものであるが、図５に示す如く本床材４９には貫通孔５５が所定の間隔、例えば２５ｍｍ間隔の整列、千鳥状等に配列されている。
貫通孔５５の形状としては、例えば床上面側の孔Ｓ３は５ｍｍφ、床空間側の孔Ｓ４は１０ｍｍφ程度のラッパ管状に構成される。
又この貫通孔５５は図２に示す如く有孔合板４３の通気孔４３ａと整合した状態に配置されているが、必ずしも通気孔４３ａと整合した状態に無くても良い。いずれにしても通気性が確保されれば良い。この貫通孔５５は所謂通気口５１となるのでその内部には前記実施の形態と同様に、通気性を有する充填材５３が充填される。これにより前記の実施の形態で説明した床吹出し空調システムと同様の効果を発揮するところの床空間２７に連通した吹出口３１が構成される。
【００２２】
したがって、上記実施の形態によって示された床吹出し空調システムの床通気構造によれば、床基盤２３ａ上に載置した支持脚４１上に有孔合板４３を敷設し、この有孔合板４３の上面に通気性を有するシート材４５を貼着し、このシート材４５の上面に、床材４９を貼着して敷設し、該床材４９に構成された通気口５１に通気性を有する充填材５３を挿入したので、居住域Ｄ内の塵が通気口５１に落ち込むことがなく、塵詰まりによる吹出口３１の閉塞を防止して、良好な吹出しを長期間に渡って維持することができる。また、通気口５１に挿入される充填材５３が通気流の抵抗となり、その結果、斯る吹出口３１では局所的な吹出しが是正されるとともに、吹出し風速の速くなることも防止でき、かつ全通気口からの吹出し風速を均一化させることが可能となる。これに加え、良好な通気性が長期間に渡って確保されることから、特に木質系の床材４９の場合、腐食を防止して床材４９の耐久性を向上させることができる。
【図面の簡単な説明】
【００２３】
【図１】本発明に係る床通気構造の実施の形態を表す図である。
【図２】本発明に係わる床通気構造の他の実施の形態を表す図である。
【図３】図１、２に示した床通気構造の採用された床吹出し空調システムの構成図である。
【図４】本発明の床通気を説明する断面図である。
【図５】本発明の他の床通気を説明する断面図である。
【図６】従来の床通気構造の斜視図である。
【符号の説明】
【００２４】
２３ａ…床基盤、３１…吹出口、４１…支持脚、４３…有孔合板、４５…シート材、４９…床材、４９ａ…床材の上面、５１…通気口、５３…充填材、５３ａ…充填材の上面、１００…床吹出し空調システム、Ｓ１…通気口のシート材側の開口面積、Ｓ２…通気口の床材上面側の開口面積
【図１】
2006028738.tif 000003
【図２】
2006028738.tif 000004
【図３】
2006028738.tif 000005
【図４】
2006028738.tif 000006
【図５】
2006028738.tif 000007
【図６】
2006028738.tif 000008